(57)【要約】  骨に埋め込まれるように構成されている様々な骨ねじ、及びその使用方法が提供される。例示的な実施形態では、骨ねじは、細長いシャンク及び頭部を備え、頭部は、骨ねじを骨及びねじ付きシャンク内に前進させるためのドライバーツールと連結するように構成された駆動機構を備える。骨ねじは、そのねじが骨に挿入されるにつれて骨を切削するように構成された、その上に１つ以上の切削縁部を有する遠位端又は遠位先端を有し得る。
2020525138.tif 000002
【特許請求の範囲】
【請求項１】
中心長手方向軸線を画定し、近位端及び遠位端を有する細長いシャンクと、
前記細長いシャンク上に形成され、前記近位端と前記遠位端との間に延在する少なくとも１つのねじ山と、を備える椎弓根ねじであって、
前記少なくとも１つのねじ山の最遠位端が、
前記中心長手方向軸線に対して横方向に、前記ねじの外径部から前記中心長手方向軸線に向かって延在する先端切削縁部と、
前記先端切削縁部から近位方向に延在する先端面であって、前記細長いシャンクの前記中心長手方向軸線に対して鋭角をなして延在する先端面と、を有する、椎弓根ねじ。
【請求項２】
前記鋭角が５〜１５度の範囲である、請求項１に記載の椎弓根ねじ。
【請求項３】
前記先端面の前記鋭角が約１０度である、請求項１に記載の椎弓根ねじ。
【請求項４】
前記少なくとも１つのねじ山の前記最遠位端の径方向外側縁部が弓状である、請求項１に記載の椎弓根ねじ。
【請求項５】
前記少なくとも１つのねじ山が、長手方向断面に沿って錐形状の先端を画定する第１及び第２のねじ山を含む、請求項１に記載の椎弓根ねじ。
【請求項６】
前記先端切削縁部から延在する追従面を更に備え、
前記追従面及び前記先端面は、互いに対して鋭角をなして延在する、請求項１に記載の椎弓根ねじ。
【請求項７】
前記細長いシャンクの前記近位端上にある頭部を更に備え、
前記頭部が、ドライバーと連結するための駆動機構を含む、請求項１に記載の椎弓根ねじ。
【請求項８】
前記細長いシャンクが、その内部を通って長手方向に延在する内側ルーメンを有する、請求項１に記載の椎弓根ねじ。
【請求項９】
前記少なくとも１つのねじ山が、互いに１８０度オフセットされた第１及び第２のねじ山を含む、請求項１に記載の椎弓根ねじ。
【請求項１０】
前記少なくとも１つのねじ山が、
前記細長いシャンクの前記近位端から前記遠位端まで延在する第１のねじ山と、
前記近位端から延在し、前記細長いシャンクの中間部分で終端する第２のねじ山と、を含む、請求項１に記載の椎弓根ねじ。
【請求項１１】
前記細長いシャンクが、その中に形成された窓部を有する、請求項１に記載の椎弓根ねじ。
【請求項１２】
第１の端部と第２の端部との間に延在する長手方向中心線を有する細長い本体と、
前記細長い本体の前記第２の端部にある遠位先端であって、骨を切削するように構成された、正のすくい角を有する少なくとも１つの切削縁部を有する遠位先端と、
前記少なくとも１つの切削縁部から前記第１の端部に向かって、前記本体に沿って延在する少なくとも１つのねじ山と、を備える、骨ねじ。
【請求項１３】
前記遠位先端が、前記長手方向中心線に沿った錐形状の断面を有する、請求項１２に記載の骨ねじ。
【請求項１４】
前記細長い本体の前記第１の端部にあり、中に駆動機構が形成された頭部を更に備える、請求項１２に記載の骨ねじ。
【請求項１５】
前記遠位先端の径方向外側縁部が弓状である、請求項１２に記載の骨ねじ。
【請求項１６】
前記細長い本体が、その内部を通って延在する内側ルーメンを有する、請求項１２に記載の骨ねじ。
【請求項１７】
前記少なくとも１つのねじ山が一定のねじピッチを有する、請求項１２に記載の骨ねじ。
【請求項１８】
前記少なくとも１つのねじ山が、
前記細長い本体の前記第１の端部と前記第２の端部との間に延在する、一定のねじピッチを有する第１のねじ山と、
前記第１の端部から延在し、前記細長い本体の前記第２の端部の近位側で終端する第２のねじ山と、を含む、請求項１２に記載の骨ねじ。
【請求項１９】
前記細長い本体が、前記細長い本体を通って形成された窓部を有する、請求項１２に記載の骨ねじ。
【発明の詳細な説明】
【技術分野】
【０００１】
本発明は、一般に、骨ねじ及びその使用法に関する。
【背景技術】
【０００２】
様々な病気が原因で、脊椎の異常を手で整骨したり又は手当てしたりする必要性が生じる可能性があり、多くの脊椎の手術においては、１つ以上の骨ねじを使用する必要がある。具体的には、椎弓根ねじなどの骨ねじを脊椎内で使用して、変形部を矯正したり、外傷部及び／又は退行性変性部を治療したりすることができる。例えば、骨ねじは、ロッド及びプレートを脊椎に固着するための器具使用手術に使用することができ、複数の骨構造物を一つに保持することによってその融合を支援するために脊椎の一部を固定するために使用することができ、脊椎の異常を治療するための様々な他の手術で使用することができる。骨ねじは、これらの施術中に様々な要素を脊椎のセグメントにアンカーしたりあるいはしっかり取り付けたりする手段を提供することができる。
【０００３】
これらの手術中に骨ねじを骨の中に迅速かつ正確に前進させて、外科医にとって手術をより容易かつ迅速にすることによって、時間及び経費を節約することが重要である。例えば、これらの施術において使用される多くの骨ねじは椎弓根ねじであり、すなわち、椎骨の椎弓根に埋め込むように設計された特定のタイプの骨ねじである。骨ねじをそのような構造物内にうまく前進させることは、手術を一層困難かつ危険なものとし得る、相当に難しい課題であり得る一方で、正確なねじ配置を確実にするために追加の装置を必要とし得る。
【発明の概要】
【発明が解決しようとする課題】
【０００４】
したがって、骨内にうまく配置するための改善された構造を有する骨ねじが依然として必要とされている。
【課題を解決するための手段】
【０００５】
骨ねじ及び骨ねじを作製及び使用するための方法が、本明細書に提供される。一実施形態では、中央長手方向軸線を画定する細長いシャンクを含む椎弓根ねじが提供される。細長いシャンクは、近位端及び遠位端、並びに近位端と遠位端との間に延在する細長いシャンク上に形成された少なくとも１つのねじ山を有することができる。少なくとも１つのねじ山の最遠位端は、中心長手方向軸線に対して横方向に、ねじの外径部から中心長手方向軸線に向かって延在する前方切削縁部を有することができ、先端面は、先端切削縁部から近位方向に延在することができる。先端面は、細長いシャンクの中心長手方向軸線に対して鋭角をなして延在することができる。
【０００６】
一部の例では、先端面の鋭角は５〜１５度の範囲であり得るが、特定の実施形態では、約１０度であり得る。他の実施形態では、少なくとも１つのねじ山は、長手方向断面に沿って錐形状の先端を画定する第１及び第２のねじ山であり得る。骨ねじはまた、先端切削縁部から延在する追従面を含むことができ、追従面及び先端面は、互いに対して鋭角をなして延在することができる。他の態様では、少なくとも１つのねじ山の最遠位端の径方向外側縁部は、弓状であり得る。
【０００７】
他の実施形態では、椎弓根ねじは、細長いシャンクの近位端上にある頭部を含むことができ、頭部はドライバーと連結するための駆動機構を有することができる。細長いシャンクは、その内部を通って長手方向に延在する内側ルーメンを有することができる。細長いシャンクはまた、その上に形成された第１及び第２のねじ山を有することができる。いくつかの実施形態では、少なくとも１つのねじ山は、細長いシャンクの近位端と遠位端との間に延在し、一定のねじピッチを有する第１のねじ山と、近位端から細長いシャンクの中間部分まで延在する第２のねじ山と、を含むことができる。他の実施形態では、細長いシャンクは、その中に形成された窓部を有することができる。
【０００８】
別の実施形態では、第１の端部と第２の端部との間に延在する長手方向中心線を含む細長い本体を有する骨ねじが提供される。細長い本体の第２の端部にある遠位先端は、骨を切削するように構成された少なくとも１つの切削縁部を有することができ、少なくとも１つの切削縁部は、正のすくい角を有することができる。少なくとも１つのねじ山は、少なくとも１つの切削縁部から第１の端部に向かって本体に沿って延在することができる。
【０００９】
骨ねじは、多数の変形例を有することができる。例えば、遠位先端は、長手方向中心線に沿って錐形状の断面を有し得る。骨ねじはまた、細長い本体の第１の端部にある、駆動機構が形成された頭部を有することができる。遠位先端の径方向外側縁部は、弓状であってもよく、いくつかの実施形態では、細長い本体は、内部を通って延在する内側ルーメンを有することができる。少なくとも１つのねじ山は、一定のねじピッチを有することができる。他の実施形態では、少なくとも１つのねじ山は、細長い本体の第１の端部と第２の端部との間に延在する第１のねじ山と、第１の端部から細長い本体の第１の端部と第２の端部との間のある点まで延在することができ、第２の端部の前で終端することができ、一定のねじピッチを有することができる第２のねじ山とを含むことができる。細長い本体はまた、細長い本体を通って形成された窓部を有することができる。
【図面の簡単な説明】
【００１０】
本発明は、以下の詳細な説明を添付の図面と併せて検討することで、より完全な理解がなされるであろう。
【図１】骨ねじの一実施形態の斜視図である。
【図２】図１の骨ねじの遠位先端の斜視図である。
【図３Ａ】図１の骨ねじの遠位先端の側断面図である。
【図３Ｂ】図３Ａの骨ねじの遠位先端の拡大側断面図である。
【図４】図１の骨ねじの遠位先端の側面図である。
【図５】図１の骨ねじを遠位−近位端方向から見た図である。
【図６】骨ねじの別の実施形態の斜視図である。
【図７】骨ねじの更に別の実施形態の斜視図である。
【図８】は、骨ねじ組立体を形成するための受容部材及び加圧キャップと共に示される、図１の骨ねじの斜視図である。
【図９】図１の骨ねじの遠位先端の斜視図である。
【図１０】骨ねじの別の一実施形態の遠位先端の斜視図である。
【図１１】骨ねじの別の一実施形態の遠位先端の斜視図である。
【図１２】骨ねじの別の実施形態の斜視図である。
【図１３】図１２の骨ねじの遠位−近位端方向から見た図である。
【図１４】図１２の骨ねじの遠位先端の斜視図である。
【図１５】図１２の骨ねじの遠位先端の別の斜視図である。
【図１６】図１２の骨ねじの遠位先端の別の斜視図である。
【発明を実施するための形態】
【００１１】
以下に、本明細書で開示する装置及び方法の構造、機能、製造、及び使用の原理の全体的な理解が得られるように、特定の例示的な実施形態を説明する。これらの実施形態のうちの１つ以上の実施例が、添付の図面に例示されている。当業者であれば、本明細書で具体的に説明され、かつ添付の図面に例示される装置及び方法が、非限定的な典型的な実施形態であること、並びに本発明の範囲が、特許請求の範囲によってのみ定義されることを理解するであろう。１つの代表的実施形態に関連して例示又は説明される特徴は、その他の実施形態の特徴と組み合わせることができる。このような改変及び変形は、本発明の範囲内に含まれるものとする。
【００１２】
骨に埋め込まれるように構成されている様々な骨ねじ及びその先端構造が提供される。骨ねじは、脊椎手術に、特に椎骨の椎弓根内への配置に関連して説明されているが、このねじは、任意の種類の骨、若しくは組織（縫合糸アンカー内など、又は肩部内の骨のような骨に軟組織を固定するため）に関連して使用でき、又は、他の非外科的用途で使用することができる。例示的な実施形態では、骨ねじには、細長いシャンクが提供され、このシャンクは、骨ねじが骨にねじ込まれる際に骨を切削するように構成されている１つ以上の切削縁部を有する、遠位端又は先端を有する。切削縁部は、骨への骨ねじの挿入を容易にするために骨を効果的に切削しながら、ねじが回転する際に抵抗を低減する鋭角のすくい角を有する、切削縁部から延在する先端面を有することができる。
【００１３】
図１〜図５は、骨ねじ１００の一実施形態を示し、骨ねじ１００は細長いシャンク１０２を有し、細長いシャンク１０２は、近位端１０４と、遠位端１０６と、長手方向軸線Ｌに沿って全体にわたって延在する内側ルーメン１０８とを有する。内側ルーメン１０８は、骨ねじの固定を補助するために骨内及び／又は骨セメント内に骨ねじを配置するのを容易にするためのガイドワイヤを受容するように構成され得る。ねじ１００はまた、駆動機構１１０（図８に示される）を有する頭部１１２を含むことができ、駆動機構１１０は、ねじ１００を骨内に前進させるためのドライバーツール（図示せず）と連結するように構成されている。ねじは、骨を切削するように構成されている遠位端１０６上の遠位先端で終端する、ねじに沿って形成された１つ以上のねじ山を有することができる。
【００１４】
骨ねじ１００の頭部１１２は、様々な構成を有することができ、頭部内又は頭部上に様々な駆動機構を形成することができる。図８に示される駆動機構１１０は、ねじ回し、六角ドライバーなどのドライバーツールを受容するように構成されている。任意の相補的な嵌合機構を使用することができる。他の実施形態では、頭部は、ドライバーツールのドライブソケット内に受容されるように成形されてもよく、あるいは、骨ねじは頭部のない形状であってもよい。
【００１５】
骨ねじ１００の細長いシャンク１０２は、様々な構成を有することができる。図１に示される細長いシャンク１０２は、その大部分に沿って延在する一定の直径（骨ねじ１００の直径を表す）を有する円筒形本体を有する。シャンクは、例えば遠位端でテーパ状にすることができ、より大きい直径からより小さい最遠位の直径に移行するようにすることができる。他の実施形態では、シャンクは、シャンクの近位端でより大きい直径で、その遠位端に向かってより小さい直径になるようにテーパ状にすることができる。したがって、シャンクのテーパは、シャンクの長さに沿って一定の割合で直径が減少するように、シャンクの長さに沿って連続的であってもよく、あるいは遠位端のみがテーパ状となる一方で、近位部は一定の直径であるように、シャンクの遠位端のみにテーパが位置していてもよい。
【００１６】
上記のように、細長いシャンクは、それに沿って形成されたねじ山を含み得る。図示された実施形態では、ねじ１００は、その外面上に形成された２本のねじ山１３０を有するが、以下で更に詳細に説明するように、１本又はそれより多くのねじ山を使用することができる。図示された実施形態では、ねじ山１３０はそれぞれ、シャンク１０２の互いに反対側（例えば、１８０度離れた）で開始し、近位端１０４と遠位端１０６との間の細長いシャンク１０２の少なくとも一部に沿って螺旋パターンで延在する。ねじ山１３０はそれぞれ、以下で更に詳細に説明するように、切削縁部１２２で終端する最遠位端を有することができる。ねじ山１３０は、シャンク１０２の全長に沿って、ほぼ一定のねじ山ピッチと一定のリードとを有することができる。
【００１７】
図６及び図７は、骨ねじ１００と同様の骨ねじ２００、３００の更なる実施形態を示す。しかしながら、骨ねじ２００、３００は、その長さに沿って一定のねじ山ピッチを有する第１及び第２のねじ山２０２、２０４、３０２、３０４、並びに近位端で開始し、その近位端と遠位端との間の骨ねじ２００、３００に沿ったどこかの点（例えば、その中間部分のほぼ中間）で終端する第３及び第４のねじ山２０６、２０８、３０８、３１０を有する。各ねじ山のねじ山リードは一定であり得るが、骨ねじ２００、３００の近位部分に２本のより多くのねじ山を加えることにより、遠位部分２０５、３０５と比較して、骨ねじ２００、３００の近位部分２０３、３０３に沿ってねじピッチを増加させる効果を発揮させることができる。当業者であれば、ねじ山ピッチ及びリードは、意図される使用法に基づいて所望され得るように変化し得ることを理解するであろう。
【００１８】
ねじ山の数、ピッチ、リード、大径及び小径、並びにねじ山の形状を含めて、本明細書において論じられるねじ山は、骨との接続を容易にするように選択することができる。加えて、ねじ山の直径は、上述の細長いシャンクの直径と同様に変化させることができるが、ここでねじ山の直径とは、骨ねじの大径を表す。小径を表す細長いシャンクの直径について既に論じたように、骨ねじの大径及び小径は、骨ねじの一方の端部から他方の端部まで（例えば、近位端から遠位端まで）テーパ状になり得る。大径及び小径のテーパは、互いに同一であっても、又は互いに異なっていてもよい。大径及び小径のテーパの開始位置は、骨ねじの細長いシャンクに沿って同じ位置であっても、又は異なる位置であってもよく、その結果、一定の頂部間の幅又は様々な頂部間の幅がもたらされ得る。
【００１９】
図示した実施形態では、ねじ山１３０のそれぞれは、近位向きの面１３２と、遠位向きの面１３４と、近位向きの面１３２及び遠位向きの面１３４に対してある角度で延在することができる最も外側の表面１３６とを有する。ねじ山１３０のそれぞれのねじ山輪郭は、例えば、正方形又は矩形の形状であり得る。他の実施形態では、ねじ山のねじ山輪郭は、三角形、丸みを帯びたものなどであり得るが、またねじ山のそれぞれの高さ及び幅は変化し得る。
【００２０】
例示的なねじ山形態が、２０１１年５月１８日付け出願の米国特許出願公開第２０１１／０２８８５９９号、及び２０１２年８月２２日付け出願の米国特許出願公開第２０１３／００５３９０１号に開示され、双方の開示内容は、その全体が参照によって本明細書に組み込まれる。
【００２１】
ねじ山が本明細書に示されているが、他の実施形態では、他の表面特徴部を使用することができる。例えば、いくつかの実施形態では、骨ねじは、ねじが一方向に回転することを可能にするが、反対方向の回転に抵抗又は防止するように構成されてもよく、かつ／又はその上に形成された滑り止め、スパイク、摩擦嵌め特徴部などを含むことができる。加えて、骨ねじは、図７に示されるように、ねじ３００上に形成された窓部３０６などの、その中に形成された窓部又は開口部を有することができる。窓部３０６は、骨ねじ３００の遠位部分に形成され、骨内殖を可能にする、又は骨へしっかりと取り付けるのを可能にするように構成された、盲孔又は貫通孔の形態であってもよい。例えば、骨ねじ３００は椎弓根構造を通って椎体内へと前進させることができ、セメントを椎体内に注入することができる。窓部３０６の遠位配置は、セメントが椎弓根構造に戻ることを低減又は防止するように構成されていてもよく、ねじの遠位端にセメントの流れを向けるように構成されていてもよい。例えば、窓部は、骨ねじの遠位部分を取り囲む海綿骨内にセメントを導き、骨ねじが固着される最適なセメント塊又はアンカーを形成することができるようになっている。窓部３０６は、骨ねじ３００の遠位部分に配置されているが、他の実施形態では、窓部を他の場所に形成することができる。骨セメントを骨アンカー組立体に送達するための例示的なシステム、及びセメント送達を容易にするための骨アンカーの代替形態が、２００９年１０月２９日出願の米国特許出願公開第２０１０／０１１４１７４号に記載されており、その開示内容は、参照によって本明細書に組み込まれる。
【００２２】
再び図１〜図５を参照すると、骨ねじの遠位先端は、その上に形成された１つ以上の切削縁部を有することができ、その切削縁部は、骨ねじが骨の中へとねじ込まれていく間に、骨を切削するのを容易にするように構成されている。図２〜図５に示すように、各ねじ山１３０は、ねじが骨の中にねじ込まれていくにつれて骨を切削するように構成された鋭利な先端縁部又は切削縁部１２２で終端する。切削縁部１２２はねじ山１３０の末端部にあり、図示された骨ねじ１００はカニューレ状のものであるため、切削縁部１２２はそれぞれ、骨ねじの外径部から内側ルーメン１０８に向かって延在し、内側ルーメン１０８を挟んで互いに反対側に位置付けられる。
【００２３】
図示される実施形態における各切削縁部１２２は、その互いに対向する側面から延在する２つの表面によって画定される。その表面は、ねじ山１３０の上面及び下面であってもよく、あるいは一方又は両方の表面が、ねじ山１３０の一端部に別個に形成されてもよい。図示の実施形態では、切削縁部１２２はそれぞれ、先端面１２３と、その互いに対向する側面から延在する追従面１２０とを有し、それにより切削縁部１２２が画定される。表面１２３は先端面と呼ばれ、表面１２０は、骨ねじを骨に挿入するための骨ねじの意図される時計回りの回転に起因して、追従面と呼ばれる。
【００２４】
各先端面１２３は、切削縁部１２２から、長手方向軸線Ｌに対して９０度未満の鋭角Ａ１で近位方向に延在することができる。角度Ａ１は、骨に対して正のすくい角を切削縁部１２２に提供する。したがって、角度Ａ１は、切削縁部１２２が、骨を掘り込み切削するように構成されることを可能にし、その際、先端面１２３は、骨ねじ１００が骨内に前進するのに必要な軸方向の力を最小限に抑えながら、適用されるトルクの向きを変えることによって、骨ねじ１００を骨の中に押し進め、かつ／又は駆動するように作用する。いくつかの実施形態では、角度Ａ１は、５〜１５度の範囲であり得るが、特定の実施形態では、約１０度であり得る。
【００２５】
各追従面１２０は、切削縁部１２２から、先端面１２３とは反対の方向に延在することができ、ねじ山１３０の遠位終端部において遠位方向に向いた、実質的に平らな表面であってもよい。具体的には、各追従面１２０は、４つの縁部を有していて、実質的に平坦かつ矩形な面であり得る。その結果、各追従面１２０は、その一方の側に先端又は切削縁部１２２を有することができ、その反対側には追従縁部１２８を有することができ、かつ２つの弓状（又は湾曲した）縁部を有することができる。図５に示されるように、追従面１２０の最内縁部１２４は、内腔１０８の曲率と一致するように弓状とすることができ、最外縁部１２６は同様に、図５に示すように、骨ねじ１００のねじ山１３０の曲率と一致するように弓状とすることができる。
【００２６】
各追従面１２０は、近位方向に向かって切削縁部１２２から離れる方向に傾斜させられているか、又は角度をつけられることができる。図３Ｂに示すように、各追従面１２０は、図３Ａ及び３Ｂに示されるように、長手方向軸Ｌに対して９０度未満の鋭角Ａ２で配向された平面Ｐに沿って延在することができる。いくつかの実施形態では、角度Ａ２は、約３０〜９５度の範囲、又はより具体的には８０〜９５度の範囲であり得るが、特定の実施形態では、約８８度であり得る。追従面１２０は、追従縁部１２８で終端することができ、追従縁部１２８は、追従面１２０が傾斜していることの結果として、切削縁部１２２の近位側に位置し得る。したがって、それぞれの追従面１２０が鋭角に傾斜しているため、追従面１２０は、ねじ１００を骨内に前進させるときに摩擦抵抗を低減又は排除することができる。
【００２７】
追従面１２０は、内腔１０８の両側に約１８０度離れて配置されるため、例えば椎弓根の骨の皮質層などの、骨に効果的にドッキングしたり、かつ骨に穿孔したりするのを可能にするよう骨ねじが構成されるように、ねじ１００の遠位先端は、図４に示されるように軸Ｌを通って延在する断面に沿って見たときに、「突き錐」又は「Ｖ字」の形状を有することができる。「突き錐」又は「Ｖ字」形状は、カニューレ状及び非カニューレ状の骨ねじのいずれにも存在し得る。このように、切削縁部１２２、先端面１２３、及び追従面１２０を含む骨ねじ１００の遠位先端は、骨ねじ１００の効率を最大化し、骨ねじ１００を骨内に打ち込むのに必要なトルク及び下向きの力を最小化するように構成することができる。
【００２８】
特定の実施形態では、骨ねじは、骨アンカー組立体の一部であり得る。図８に示すように、骨ねじ１００は、多軸受容体４００及び加圧キャップ５００と共に使用することができる。受容体４００は、そこから近位に延在するねじ延長タブ４０２を有するＵ字体の形態であり得る。受容体４００は、骨ねじ１００の頭部１１２を着座させるように構成された内側空洞を有し得る。細長いシャンク１０２は、受容体４００の遠位端の開口部を通って延在することができる。加圧キャップ５００は、受容体４００内に受容され、骨ねじ１００から近位に位置付けられるように構成され得る。脊椎ロッド（図示せず）を、ねじ延長タブ４０２どうしの間に配置させることができ、加圧キャップ５００の近位部分に着座させることができる。組立体はまた、ねじ延長タブ４０２どうしの間に受容されるように構成されている止めねじ（図示せず）を含むことができ、その止めねじは、遠位方向への力を脊椎ロッドと加圧キャップ５００とにかけて、脊椎ロッドを、受容体４００にロックさせ、骨ねじ１００を受容体４００に対して所定の位置にロックすることができるようになっている。ねじ延長タブ４０２のそれぞれの外面は、受容体４００の器具への接続を容易にするために、例えば、凹部、くぼみ、切り欠き、凸部などの機能的形成部を含むことができる。例えば、ねじ延長タブ４０２は、タブのそれぞれの自由端に弓状の溝を含むことができる。そのような溝は、２００７年２月２０日付けで発行の米国特許第７，１７９，２６１号により詳細に説明されており、その開示内容は参照によって本明細書に組み込まれる。また骨ねじ１００は、例えば、２００５年１２月１３日付けで発行の米国特許第６，９７４，４６０号、及び２００４年５月１８日付けで発行の米国特許第６，７３６，８２０号に開示されるような、好みの角度のねじであることができ、双方の開示内容は、参照によって本明細書に組み込まれる。あるいは、骨アンカー組立体は、骨ねじがすべての方向に同じだけ枢動する、従来の（付勢されていない）多軸ねじであり得る。
【００２９】
本明細書で開示される手術用器具は、上述のタイプの骨アンカー組立体、又は当技術分野では公知である他のタイプの骨アンカー組立体と一緒に動作するように構成することができる。上述のように、骨アンカー組立体の骨ねじ１００は、単軸ねじ、多軸ねじ、ユニプレーナ型ねじ、骨フック、フェイバードアングルスクリュー、モジュラースクリュー、及び／又は、当技術分野では公知である任意の様々な他のタイプの骨アンカーであり得ることが理解されるであろう。フェイバードアングルスクリューの更なる情報は、２０１２年１０月９日付け出願の米国特許出願第１３／６４８，１８４号に見出すことができ、その開示内容は参照によって本明細書に組み込まれる。骨ねじ１００及び骨アンカー組立体は、本明細書と同日に出願された「Ｓｐｉｎａｌ  Ｓｃｒｅｗ  Ｉｎｓｅｒｔｉｏｎ  Ｄｅｖｉｃｅｓ  Ａｎｄ  Ｍｅｔｈｏｄｓ」と題する米国特許出願第［］号に開示されている挿入装置などの様々な装置と共に使用することができ、この出願書は参照により本明細書に組み込まれる。
【００３０】
使用中、骨ねじ１００は、図８に示されるようなねじアセンブリの一部として、又は別の手順の一部として、患者の体内に挿入することができる。骨ねじ１００の遠位端１０６は、椎弓根などの骨に当接させて配置され得る。ドライバーツール（図示せず）は、駆動機構１１０に係合することができ、ドライバーツールは、骨ねじ１００を、骨に対して例えば時計回りに回転させるように回転されることができる。切削縁部１２２が回転すると、それらは骨を切削し、ねじ１００を骨の中に前進させることができる。ねじ山１３０は、骨孔の縁部と係合することができ、それによって骨孔内に骨ねじ１００を固定することができる。ドライバーツールは、骨ねじ１００が骨内に完全に駆動されるまで、引き続き回転させることができる。
【００３１】
骨ねじ１００は、その上に形成された２つのねじ山１３０を有するが、他の実施形態は、その上に形成され、１つ以上の切削縁部で終端する１つ以上のねじ山を有することができる。例えば、図９は骨ねじ１００を示すが、その骨ねじ１００は、その上に形成された２つのねじ山１３０及び切削縁部１２２を有する。図１０は、骨ねじ１００と同様である骨ねじ６００を示すが、骨ねじ６００は、細長いシャンク６０４に沿って延在し、先端面６０５を有する単一のねじ山６０２であって、切削縁部１２２と同様の正のすくい角で単一の切削縁部６０６で終端する、ねじ山６０２を有する。図１１は、骨ねじ１００と同様である骨ねじ７００を示すが、骨ねじ７００は、細長いシャンク７０４に沿って延在し、先端面７０５を有する３本のねじ山７０２であって、切削縁部１２２と同様の正のすくい角で３つの切削縁部７０６で終端する３本のねじ山７０２を有する。このように、１本、２本、３本、４本、５本などを含む、任意の数のねじ山を用いることができる。
【００３２】
加えて、骨ねじは、内部を通って延在するいかなるカニュレーション又はルーメンも有さない、中実の細長いシャンクを有していてもよい。図１２〜図１６は、骨ねじ１００と同様である骨ねじ８００の一実施形態を示すが、骨ねじ８００は、それを通る、いかなるカニュレーション又はルーメンも有さない。骨ねじ８００は、概して、近位端８０４と遠位端８０６とを有する細長いシャンク８０２を有する。ねじ８００はまた、頭部８１２を含むことができ、頭部８１２は、ねじ８００を骨内に前進させるためのドライバーツール（図示せず）と連結するように構成されている駆動機構（図示せず）を有する。そのねじは、それに沿って形成された２本のねじ山８３０を有することができ、これらの２本のねじ山８３０は、切削縁部１２２と同様に正のすくい角を有する２つの切削縁部８２２で終端する。したがって、先端面８２３は、切削縁部８２２から近位方向に延在することができる。２つの追従面８２０はまた、それぞれが実質的に平坦で、遠位側に面する表面であり、ねじ山８３０の最遠位端に形成されてもよく、各追従面８２０は、４つの縁部を有しており、実質的に平坦かつ矩形であり得る。追従面１２０と同様に、追従面８２０は、骨ねじ８００のねじ山８３０の曲率と一致するように弓状であり得る最外縁部８２６を有することができる。他の実施形態では、追従面は、実質的に平面である必要はなく、４つの縁部を有する実質的に平坦かつ矩形の面である必要はない。これらは、様々な形態、形状、配向などを有することができる。
【００３３】
本明細書で開示するねじは、様々な材料のうちの任意のもので形成することができる。いくつかの実施形態では、ねじは、例えばポリスルホンなどの非吸収性材料、又は例えばチタン及びチタン合金などの金属から形成することができる。他の実施形態では、ねじは、長期間にわたり体内に異物を有することに関連した免疫的問題を低減することができる生体適合性の生体吸収性材料から形成したり、あるいはそれらから作製されるコーティングを含んだりすることができる。本明細書で開示するねじを形成することができる代表的な材料としては、生体吸収性エラストマー、ポリ乳酸ポリグリコール酸（ＰＬＡ−ＰＧＡ）等のコポリマーの組み合わせ、及び脂肪族ポリエステル、ポリ（アミノ酸）、コポリ（エーテル−エステル）、ポリアルキレンオキザラート、ポリアミド、チロシン誘導ポリカーボネート、ポリ（イミノカーボネート）、ポリオルトエステル、ポリオキサエステル、ポリアミドエステル、アミン基含有ポリオキサエステル、ポリ（無水物）、ポリホスファゼン、生体分子（すなわち、例えば、コラーゲン、エラスチン、生体吸収性デンプン等のバイオポリマー）等の生体吸収性ポリマー、並びにこれらのブレンドが挙げられる。いくつかの実施形態では、ねじは、ポリ乳酸、又はリン酸三カルシウムとポリ乳酸との複合ブレンドから形成することができる。例えば骨成長を促進するか、又は骨ねじへの骨の付着性を改善するためのコーティングなどの、１つ以上のコーティングを骨ねじに使用することができる。本明細書に開示されるねじは、単一の一体型材料及び構造物から形成することができ、又は上記に列挙したうちの１つ以上の材料から形成することができる。
【００３４】
本明細書に開示されるねじは、患者の解剖学的構造、手術のタイプ、ねじ組立体のサイズ、及び当業者には容易に明らかとなる様々な他のパラメータに応じて、様々なサイズのうちの任意のサイズで提供することができる。いくつかの実施形態では、本明細書に開示されるねじは、その長さが約３０〜６０ｍｍ、又は約８０〜１００ｍｍであってよく、かつその直径が約４．５ｍｍ、５ｍｍ、６ｍｍ、７ｍｍ、７．５ｍｍ、１０ｍｍ、又は１２ｍｍであってよい。
【００３５】
いくつかの実施形態では、図８に示されるような１つ以上のねじアセンブリと共に本明細書に開示されるねじのうちの１つ以上を含むキットを提供することができる。例えば、例示的なキットは、外科医が、特定の用途のために適切なねじ及び／又はねじアセンブリを選択することができるように、様々なタイプ及びサイズの複数のねじ及び／又はねじアセンブリを含むようになっていてよい。
【００３６】
更に、本開示において、実施形態の同様の参照番号が付された構成要素は概ね同様の特徴部を有し、したがって、特定の実施形態内において同様の参照番号が付された各構成要素の各特徴は、必ずしも十分に説明されていない。本明細書に説明されている装置の寸法及び形状、並びにその構成要素は、装置が使用されることになる患者の解剖学的形態、装置が使用されることになる構成要素（例えば、脊椎ロッド）の寸法及び形状、並びに装置が使用されることになる方法及び手技に少なくとも依存し得る。本明細書で提供される図面は、必ずしも原寸に比例していない。本明細書に開示されるデバイス及び方法は、概して外科的技法を目的とするが、これらは、外科分野以外の用途に使用されてもよい。以上、特定の実施形態を参照して本発明を説明したが、記載された発明の概念の趣旨及び範囲内で多くの変更がなされ得る点を理解されたい。したがって、本発明は記載された実施形態に限定されるものではなく、むしろ、以下の「特許請求の範囲」の文言によって定義される完全な範囲を有するものとする。
【００３７】
〔実施の態様〕
（１）  中心長手方向軸線を画定し、近位端及び遠位端を有する細長いシャンクと、
前記細長いシャンク上に形成され、前記近位端と前記遠位端との間に延在する少なくとも１つのねじ山と、を備える椎弓根ねじであって、
前記少なくとも１つのねじ山の最遠位端が、
前記中心長手方向軸線に対して横方向に、前記ねじの外径部から前記中心長手方向軸線に向かって延在する先端切削縁部と、
前記先端切削縁部から近位方向に延在する先端面であって、前記細長いシャンクの前記中心長手方向軸線に対して鋭角をなして延在する先端面と、を有する、椎弓根ねじ。
（２）  前記鋭角が５〜１５度の範囲である、実施態様１に記載の椎弓根ねじ。
（３）  前記先端面の前記鋭角が約１０度である、実施態様１に記載の椎弓根ねじ。
（４）  前記少なくとも１つのねじ山の前記最遠位端の径方向外側縁部が弓状である、実施態様１に記載の椎弓根ねじ。
（５）  前記少なくとも１つのねじ山が、長手方向断面に沿って錐形状の先端を画定する第１及び第２のねじ山を含む、実施態様１に記載の椎弓根ねじ。
【００３８】
（６）  前記先端切削縁部から延在する追従面を更に備え、
前記追従面及び前記先端面は、互いに対して鋭角をなして延在する、実施態様１に記載の椎弓根ねじ。
（７）  前記細長いシャンクの前記近位端上にある頭部を更に備え、
前記頭部が、ドライバーと連結するための駆動機構を含む、実施態様１に記載の椎弓根ねじ。
（８）  前記細長いシャンクが、その内部を通って長手方向に延在する内側ルーメンを有する、実施態様１に記載の椎弓根ねじ。
（９）  前記少なくとも１つのねじ山が、互いに１８０度オフセットされた第１及び第２のねじ山を含む、実施態様１に記載の椎弓根ねじ。
（１０）  前記少なくとも１つのねじ山が、
前記細長いシャンクの前記近位端から前記遠位端まで延在する第１のねじ山と、
前記近位端から延在し、前記細長いシャンクの中間部分で終端する第２のねじ山と、を含む、実施態様１に記載の椎弓根ねじ。
【００３９】
（１１）  前記細長いシャンクが、その中に形成された窓部を有する、実施態様１に記載の椎弓根ねじ。
（１２）  第１の端部と第２の端部との間に延在する長手方向中心線を有する細長い本体と、
前記細長い本体の前記第２の端部にある遠位先端であって、骨を切削するように構成された、正のすくい角を有する少なくとも１つの切削縁部を有する遠位先端と、
前記少なくとも１つの切削縁部から前記第１の端部に向かって、前記本体に沿って延在する少なくとも１つのねじ山と、を備える、骨ねじ。
（１３）  前記遠位先端が、前記長手方向中心線に沿った錐形状の断面を有する、実施態様１２に記載の骨ねじ。
（１４）  前記細長い本体の前記第１の端部にあり、中に駆動機構が形成された頭部を更に備える、実施態様１２に記載の骨ねじ。
（１５）  前記遠位先端の径方向外側縁部が弓状である、実施態様１２に記載の骨ねじ。
【００４０】
（１６）  前記細長い本体が、その内部を通って延在する内側ルーメンを有する、実施態様１２に記載の骨ねじ。
（１７）  前記少なくとも１つのねじ山が一定のねじピッチを有する、実施態様１２に記載の骨ねじ。
（１８）  前記少なくとも１つのねじ山が、
前記細長い本体の前記第１の端部と前記第２の端部との間に延在する、一定のねじピッチを有する第１のねじ山と、
前記第１の端部から延在し、前記細長い本体の前記第２の端部の近位側で終端する第２のねじ山と、を含む、実施態様１２に記載の骨ねじ。
（１９）  前記細長い本体が、前記細長い本体を通って形成された窓部を有する、実施態様１２に記載の骨ねじ。
【図１】
2020525138.tif 000003
【図２】
2020525138.tif 000004
【図３Ａ】
2020525138.tif 000005
【図３Ｂ】
2020525138.tif 000006
【図４】
2020525138.tif 000007
【図５】
2020525138.tif 000008
【図６】
2020525138.tif 000009
【図７】
2020525138.tif 000010
【図８】
2020525138.tif 000011
【図９】
2020525138.tif 000012
【図１０】
2020525138.tif 000013
【図１１】
2020525138.tif 000014
【図１２】
2020525138.tif 000015
【図１３】
2020525138.tif 000016
【図１４】
2020525138.tif 000017
【図１５】
2020525138.tif 000018
【図１６】
2020525138.tif 000019
【国際調査報告】
2020525138.tif 000020